(57)【要約】【課題】簡単な構造で、上下台の高さを調整して最適な高さに確実に停止する。【解決手段】上下に延びる支柱１に上下に移動できるようにスライド台５を連結して、このスライド台５に、水平姿勢から折畳姿勢に傾動できるように上下台２を連結している。支柱１は、上下方向に伸びるスリット８を有し、スライド台５はスリット８に沿って上下に移動できるように支柱１に連結している。上下台２を水平姿勢とする状態で、スライド台５を支柱１の所定の上下位置に停止できるストッパ機構３０を備えている。上下台２を水平姿勢に傾動する状態で、スリット８に挿入される挿入片１６を上下台２又はスライド台５に設けている。上下台２を水平姿勢とする状態で、挿入片１６をスリット８に挿入して、挿入片１６とスリット８でもって、水平姿勢の上下台２の横揺れを防止するようにしている。【選択図】図１３
2010142521.tif 000002
【特許請求の範囲】
【請求項１】
上下に延びる支柱(1)と、この支柱(1)に上下に移動できるように連結しているスライド台(5)と、このスライド台(5)に回転軸(4)を介して水平姿勢から折畳姿勢に傾動できるように連結している上下台(2)とを備え、
前記支柱(1)は、上下方向に伸びるスリット(8)を有し、前記スライド台(5)がスリット(8)に沿って上下に移動できるように支柱(1)に連結されると共に、前記上下台(2)を水平姿勢とする状態で、前記スライド台(5)を支柱(1)の所定の上下位置に停止できるストッパ機構(30)を備えており、
前記上下台(2)は、スライド台(5)に傾動できるように連結されると共に、水平姿勢において、前記支柱(1)のスリット(8)に挿入される挿入片(16)を備えており、この挿入片(16)が前記支柱(1)のスリット(8)に挿入されて、挿入片(16)とスリット(8)でもって、水平姿勢にある上下台(2)の横揺れを防止するようにしてなる上下台を上下に移動できる上下機構。
【請求項２】
上下に延びる支柱(1)と、この支柱(1)に上下に移動できるように連結しているスライド台(5)と、このスライド台(5)に回転軸(4)を介して水平姿勢から折畳姿勢に傾動できるように連結している上下台(2)とを備え、
前記支柱(1)は、上下方向に伸びるスリット(8)を有し、前記スライド台(5)がスリット(8)に沿って上下に移動できるように支柱(1)に連結されると共に、前記上下台(2)を水平姿勢とする状態で、前記スライド台(5)を支柱(1)の所定の上下位置に停止できるストッパ機構(30)を備えており、
前記上下台(2)が、スライド台(5)に傾動できるように連結されると共に、前記スライド台(5)が、水平姿勢に傾動される上下台(2)に連動して、前記支柱(1)のスリット(8)に挿入される挿入片(16)を備えており、この挿入片(16)が前記支柱(1)のスリット(8)に挿入されて、挿入片(16)とスリット(8)でもって、水平姿勢にある上下台(2)の横揺れを防止するようにしてなる上下台を上下に移動できる上下機構。
【請求項３】
前記ストッパ機構(30)が、前記スライド台(5)に連結されて、前記スリット(8)の両側で支柱(1)の内面に接触する内側ストッパ部(5a)と、この内側ストッパ部(5a)に連結されてスリット(8)から支柱(1)の外側に突出している連結部(5b)と、この連結部(5b)に設けている連結穴(5x)に挿通されて、上下台(2)をスライド台(5)に傾動できるように連結してなる回転軸(4)と、前記上下台(2)に連結されて、前記連結部(5b)の両側に位置して、上下台(2)を水平姿勢とする状態で前記支柱(1)の外面を押圧するカム(7)とを備えており、
上下台(2)が折畳姿勢から水平姿勢に回動される状態で、前記カム(7)が支柱(1)の外面を押圧して、カム(7)と内側ストッパ部(5a)とで支柱(1)を挟着して、スライド台(5)を支柱(1)の定位置に固定するようにしてなる請求項１に記載される上下台を上下に移動できる上下機構。
【請求項４】
前記スライド台(5)に、回転軸(4)を介して、支柱(1)の外面を押圧する押圧プレート(6)を連結しており、この押圧プレート(6)は回転軸(4)に対して回動自在に連結しており、前記上下台(2)を水平姿勢とする状態で、カム(7)が押圧プレート(6)を介して支柱(1)の外面を押圧する請求項３に記載される上下台を上下に移動できる上下機構。
【請求項５】
前記ストッパ機構(30)が、前記スライド台(5)に連結されて、前記スリット(8)の両側で支柱(1)の内面に接触する内側ストッパ部(5a)と、スライド台(5)または上下台(2)に連結されて、支柱(1)の前面に当接する外側ストッパ(15)とを備え、この外側ストッパ(15)は、上下台(2)を水平姿勢とする状態で、内側ストッパ部(5a)よりも下方に配置されており、
上下台(2)が折畳姿勢から水平姿勢に回動されて、上下台(2)に荷重がかかる状態で、内側ストッパ部(5a)が支柱(1)の内面に押圧されると共に、外側ストッパ(15)が支柱(1)の前面に押圧されて、スライド台(5)を降下しないように所定の高さで停止するようにしてなる請求項１または２に記載される上下台を上下に移動できる上下機構。
【請求項６】
前記挿入片(16)が、先端部に向かって横幅を薄くするテーパー状である請求項１または２に記載される上下台を上下に移動できる上下機構。
【請求項７】
前記上下台(2)を水平姿勢とする状態で、前記挿入片(16)が前記スリット(8)に圧入されて、挿入片(16)とスリット(8)でもって、前記上下台(2)の横揺れを防止するようにしてなる請求項１または２に記載される上下台を上下に移動できる上下機構。
【請求項８】
前記上下台(2)が座部(20)を備え、上下機構がイスの座部(20)を上下させる機構である請求項１または２に記載される上下台を上下に移動できる上下機構。
【請求項９】
前記上下台(2)が天板(40)を備え、前記上下機構が天板(40)を上下させるテーブルまたは陳列台の上下機構である請求項１または２に記載される上下台を上下に移動できる上下機構。
【請求項１０】
前記上下台(2)が棚板(46)を備え、前記上下機構が棚板(46)を上下させる棚、陳列棚、本立てのいずれかの上下機構である請求項１または２に記載される上下台を上下に移動できる上下機構。
【請求項１１】
前記上下台(2)が座部(20)または棚板板(46)の下面に支持アーム(9)を固定しており、この支持アーム(9)は、上下台(2)の後方において、上下台(2)を水平姿勢とする状態で、上下方向に突出する連結部(9A)を備えており、この連結部(9A)の上端に回転軸(4)を連結して、連結部(9A)の下端部に挿入片(16)を設けている請求項８または９に記載される上下台を上下に移動できる上下機構。
【発明の詳細な説明】
【技術分野】
【０００１】
本発明は、上下台を上下に移動して、所定の高さに停止できる上下機構に関する。とくに、本発明は、上下台を所定の高さに停止させた状態で、上下台を安定して水平姿勢に保持できる上下機構に関する。
【背景技術】
【０００２】
座台を上下に移動できるイスは、種々の用途に最適な状態で使用できる。このことを実現するイスは、種々の構造で座台を上下に移動して移動した位置に停止できる構造としている。座台を自在に上下に移動できるイスは開発されている（特許文献１及び２参照）。これらの公報に記載されるイスは、ストッパ機構を介して、座台を支柱に連結している。これらのイスは、ストッパ機構で座台を所定の位置に停止させ、また、ストッパ機構を解除して、座台を上下に移動できるようにしている。
【０００３】
これらのイスは、取っ手を操作してストッパ機構のロック状態を解除し、座台を上下に移動できる。ただ、このイスは、座台を所定の位置に停止するためのストッパ機構が複雑で、製造コストが高くなる。また、複雑なストッパ機構を備えるので、全体をすっきりと美しいデザインにすることができない。さらに、ロック状態を解除するために取っ手を操作する必要があるので、簡単に上下に移動できない欠点もある。とくに、片手で座台を上下に移動するのが難しい。
【０００４】
本発明者は、以上の欠点を解決することを目的として、図１ないし図３に示すイスを開発した（特許文献３参照）。これ等の図に示すイスは、後方に向かって上り勾配に傾斜する姿勢で自立する支柱９１と、この支柱９１に連結具９４を介して上下に移動できるように連結している座台９２とを備える。支柱９１は、筒状で上下に延長して前面にスリット９８を設けている。連結具９４は、座台９２を連結しているスライド台９５と、このスライド台９５に連結されて、支柱９１のスリット９８を貫通して、スリット９８の両側で支柱９１の内面に当接する内側ストッパ９６と、スライド台９５に連結されて、支柱９１の前面でスリット９８の両側に当接する外側ストッパ９７とを備える。外側ストッパ９７は、内側ストッパ９６よりも下方に位置してスライド台９５に連結している。内側ストッパ９６と外側ストッパ９７の間隔（ｄ）は、スライド台９５を支柱９１に沿って上下に移動できるように支柱９１の肉厚（ｔ）よりも大きくしている。このイスは、座台９２に荷重がかかると、内側ストッパ９６が支柱９１の内面に押圧されて、外側ストッパ９７が支柱９１の前面に押圧されて、座台９２を降下しないように所定の高さで停止できるようにしている。
【特許文献１】実公昭５９−２７１７０号公報
【特許文献２】実公昭５９−２７１７１号公報
【特許文献３】特開２００２−２８２０８４号公報
【発明の開示】
【発明が解決しようとする課題】
【０００５】
図１ないし図３に示すイスは、座台９２を上下に移動して最適な高さに固定して便利に使用できる。ただ、このイスは、座台９２を水平姿勢とする状態で、座台９２が、図１の矢印Ａで示す方向に横揺れするのを防止できない。それは、座台９２を水平姿勢とする状態で、支柱９１の内面に当接する内側ストッパ９６が、スライド台９５とスリット９８を介して支柱９１に位置決めされるのに対して、内側ストッパ９６よりも下方に位置する外側ストッパ９７は、支柱９１の前面でスリット９８の両側に当接する状態で支柱９１に連結されて位置決めされないからである。すなわち、内側ストッパ９６は、スリット９８で位置決めしながら支柱９１に連結されるが、外側ストッパ９７は、支柱９１との連結位置が特定されない。したがって、座台９２が連結されるスライド台９５は、支柱９１に対して１点で位置決めされる連結状態となって、この位置決め部分を中心として座台９２の両端部が上下に揺れ動くのを防止できない。とくに、この横揺れは、座台を大きくするほど大きくなる。このように、水平姿勢において横揺れする座台は、ユーザーが座った状態で座台が揺れ動くので、ユーザーが快適に、安心して使用することができない。
【０００６】
本発明は、この欠点を解決することを目的に開発されたものである。本発明の重要な目的は、極めて簡単な構造としながら、簡単かつ容易に、しかも迅速に上下台の高さを調整して最適な高さに確実に停止できると共に、所定の高さに停止させた上下台の横揺れを防止して、安定して水平姿勢に保持できる上下台を上下に移動できる上下機構を提供することにある。
【課題を解決するための手段及び発明の効果】
【０００７】
本発明の請求項１の上下台を上下に移動できる上下機構は、上下に延びる支柱１と、この支柱１に上下に移動できるように連結しているスライド台５と、このスライド台５に回転軸４を介して水平姿勢から折畳姿勢に傾動できるように連結している上下台２とを備えている。支柱１は、上下方向に伸びるスリット８を有しており、スライド台５がスリット８に沿って上下に移動できるように支柱１に連結されている。さらに、上下機構は、上下台２を水平姿勢とする状態で、スライド台５を支柱１の所定の上下位置に停止できるストッパ機構３０を備えている。さらに、上下機構は、上下台２をスライド台５に傾動できるように連結すると共に、上下台２が、水平姿勢において支柱１のスリット８に挿入される挿入片１６を備えている。上下機構は、この挿入片１６が支柱１のスリット８に挿入されて、挿入片１６とスリット８でもって、水平姿勢にある上下台２の横揺れを防止している。
本明細書において、「水平姿勢にある上下台の横揺れ」とは、水平姿勢にある上下台の左右の両側部が、シーソーのように互いに反対方向に上下に揺れる状態（図１の矢印Ａ参照）を意味するものとする。
【０００８】
以上の上下機構は、支柱のスリットに沿ってスライド台を上下に移動させて、上下台の高さを自由に変更しながら、上下台を水平姿勢とする状態では、上下台に設けた挿入片が、支柱のスリットに挿入されるので、極めて簡単な構造としながら、水平姿勢にある上下台の横揺れを確実に防止できる。この上下機構は、上下に移動する上下台を、スリットに挿通されたスライド台と、スリットに挿入される挿入片の両方を介して位置決めしながら支柱に連結する。すなわち、水平姿勢にある上下台を、スライド台と挿入片の２点で位置決めしながら支柱に連結するので、上下台の両側部が支柱に対して揺れ動くのを確実に防止して、水平姿勢にある上下台の横揺れを防止できる。
【０００９】
さらに、以上の上下機構は、上下台を水平姿勢から折り畳み方向に傾動させることで、挿入片を簡単にスリットから引き出すことができるので、挿入片がスリットから引き出された上下台を、スライド台を介して移動させて、簡単かつ容易に、しかも迅速に上下台の高さを調整して最適な高さに確実に停止できる特長がある。
【００１０】
本発明の請求項２の上下台を上下に移動できる上下機構は、上下に延びる支柱１と、この支柱１に上下に移動できるように連結しているスライド台５と、このスライド台５に回転軸４を介して水平姿勢から折畳姿勢に傾動できるように連結している上下台２とを備えている。支柱１は、上下方向に伸びるスリット８を有しており、スライド台５がスリット８に沿って上下に移動できるように支柱１に連結されている。さらに、上下機構は、上下台２を水平姿勢とする状態で、スライド台５を支柱１の所定の上下位置に停止できるストッパ機構３０を備えている。さらに、上下機構は、上下台２をスライド台５に傾動できるように連結すると共に、スライド台５が、水平姿勢に傾動される上下台２に連動して、支柱１のスリット８に挿入される挿入片１６を備えている。上下機構は、この挿入片１６が支柱１のスリット８に挿入されて、挿入片１６とスリット８でもって、水平姿勢にある上下台２の横揺れを防止している。
【００１１】
以上の上下機構は、支柱のスリットに沿ってスライド台を上下に移動させて、上下台の高さを自由に変更しながら、上下台を水平姿勢とする状態では、スライド台に設けた挿入片が、水平姿勢に傾動される上下台に連動して支柱のスリットに挿入されるので、極めて簡単な構造としながら、水平姿勢にある上下台の横揺れを確実に防止できる。この上下機構は、スリットに沿って上下に移動できるように支柱に連結されるスライド台を、スリットに挿入される挿入片で位置決めしながら支柱に連結するので、スライド台を２点で位置決めしながら支柱に連結して、スライド台が支柱に対して横揺れするのを防止して、このスライド台に連結される上下台の両側部が支柱に対して揺れ動くのを確実に防止できる。
【００１２】
本発明の請求項３の上下機構は、ストッパ機構３０が、スライド台５に連結されて、スリット８の両側で支柱１の内面に接触する内側ストッパ部５ａと、この内側ストッパ部５ａに連結されてスリット８から支柱１の外側に突出している連結部５ｂと、この連結部５ｂに設けている連結穴５ｘに挿通されて、上下台２をスライド台５に傾動できるように連結してなる回転軸４と、上下台２に連結されて、連結部５ｂの両側に位置して、上下台２を水平姿勢とする状態で支柱１の外面を押圧するカム７とを備えている。この上下機構は、上下台２が折畳姿勢から水平姿勢に回動される状態で、カム７が支柱１の外面を押圧して、カム７と内側ストッパ部５ａとで支柱１を挟着して、スライド台５を支柱１の定位置に固定する。
【００１３】
以上の上下機構は、上下台を水平姿勢に回動する状態で、カムで支柱の外面を押圧して、スライド台を支柱の定位置に固定するので、スライド台が支柱に対して相対的に移動するのを確実に防止して、水平姿勢の上下台の横揺れをより確実に防止できる。とくに、この上下機構は、上下台に荷重が作用しない状態においても、スライド台が支柱に固定されるので、上下台が滑り落ちることがなく、安心して、安全に使用できる特長がある。
【００１４】
本発明の請求項４の上下機構は、スライド台５に、回転軸４を介して、支柱１の外面を押圧する押圧プレート６を連結している。この押圧プレート６は、回転軸４に対して回動自在に連結しており、上下台２を水平姿勢とする状態で、カム７が押圧プレート６を介して支柱１の外面を押圧する。
【００１５】
この構造の上下機構は、カムが直接に支柱の外面を押圧しないので、回転するカムで支柱の外面を傷付けることなくスライド台を固定できる。さらに、カムの押圧力を押圧プレートを介して支柱の外面に作用させるので、押圧プレートの広い面積で支柱の外面を押圧して、スライド台を所定の高さに安定して固定できる。
【００１６】
本発明の請求項５の上下機構は、ストッパ機構３０が、スライド台５に連結されて、スリット８の両側で支柱１の内面に接触する内側ストッパ部５ａと、スライド台５または上下台２に連結されて、支柱１の前面に当接する外側ストッパ１５とを備えている。この外側ストッパ１５は、上下台２を水平姿勢とする状態で、内側ストッパ部５ａよりも下方に配置している。この上下機構は、上下台２が折畳姿勢から水平姿勢に回動されて、上下台２に荷重がかかる状態で、内側ストッパ部５ａが支柱１の内面を押圧すると共に、外側ストッパ１５が支柱１の前面を押圧して、スライド台５を降下しないように所定の高さで停止させる。
【００１７】
以上の上下機構は、水平姿勢に回動した上下台に荷重がかかる状態で、内側ストッパ部で支柱の内面を押圧すると共に、外側ストッパで支柱の前面を押圧して、スライド台を降下しないように所定の高さで確実に停止できる。
【００１８】
本発明の請求項６の上下機構は、挿入片１６を、先端部に向かって横幅を薄くするテーパー状としている。この上下機構は、上下台２を水平姿勢に傾動させて挿入片１６をスリットに挿入するときに、薄い先端部を速やかにスリット８に案内しながら、挿入片１６をスムーズにスリット８に挿入できる。
【００１９】
本発明の請求項７の上下機構は、上下台２を水平姿勢とする状態で、挿入片１６をスリット８に圧入して、挿入片１６とスリット８でもって、上下台２の横揺れを防止している。
この上下機構は、挿入片がスリットに圧入されるので、スリットに挿入される挿入片が支柱に対して相対的に移動するのを確実に防止して、水平姿勢の上下台の横揺れをより確実に防止できる。
【００２０】
本発明の請求項８の上下機構は、上下台２に座部２０を設けて、イスの座部２０を上下させる機構に利用している。この上下機構は、イスの座部の高さを、簡単かつ容易に調整して、最適な高さに確実に停止でき、座部を上下に移動できるイスとして便利に使用できる特徴がある。
【００２１】
また、請求項９の上下機構は、上下台２に天板４０を設けて、テーブルまたは陳列台の天板４０を上下に移動する機構に利用している。この上下機構は、天板を備える上下台の高さを、簡単かつ容易に調整して、最適な高さに確実に停止でき、天板を上下に移動できるテーブルまたは陳列棚として便利に使用できる特徴がある。
【００２２】
また、請求項１０の上下機構は、上下台２に棚板４６を設けて、棚、陳列棚、本立ての棚板４６を上下に移動する機構に利用している。この上下機構は、棚板を備える上下台の高さを、簡単かつ容易に調整して、最適な高さに確実に停止でき、天板を上下に移動できる棚、陳列棚、本立てとして便利に使用できる特徴がある。
【００２３】
本発明の請求項１１の上下機構は、上下台２が座部２０または棚板４６の下面に支持アーム９を固定している。この支持アーム９は、上下台２の後方において、上下台２を水平姿勢とする状態で、上下方向に突出する連結部９Ａを備えており、この連結部９Ａの上端に回転軸４を連結して、連結部９Ａの下端部に挿入片１６を設けている。
この構造の上下機構は、上下台を水平姿勢とする状態で、連結部を支柱に沿って配置して、連結部の下端部を支柱で支持できるので、上下台を安定して水平姿勢に保持できる。
【発明を実施するための最良の形態】
【００２４】
以下、本発明の実施例を図面に基づいて説明する。ただし、以下に示す実施例は、本発明の技術思想を具体化するための上下台を上下に移動できる上下機構を例示するものであって、本発明は上下機構を以下の構造には特定しない。
【００２５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２６】
本発明の上下機構は、上下に延びる支柱に沿って、上下台を上下に移動できると共に、この上下台を任意の位置で停止して停止位置に確実に保持できる構造としている。この上下機構として、例えば、上下台に座部を設けて、この座部を上下に移動できるイスとすることができ、あるいは、上下台に天板を設けてテーブルとし、あるいはまた、上下台に天板を設けて陳列棚とすることができる。
【００２７】
本発明の一実施例として、座部を有する上下台を上下に移動できるイスとして使用する上下機構を図４ないし図１４に示す。これらの図に示す上下機構は、上下に延びる姿勢で自立する支柱１と、この支柱１に上下に移動できるように連結しているスライド台５と、このスライド台５に回転軸４を介して水平姿勢から折畳姿勢に傾動できるように連結している上下台２とを備える。
【００２８】
支柱１は、後方に支持ロッド３を連結して、この支持ロッド３で支えて、上下に延びる姿勢としている。図の支柱１は、後方を支持ロッド３で支持して、後方に向かって上り勾配に傾斜する姿勢で自立するようにしている。支持ロッド３は、支柱１と平行な方向に折り畳みできるように、支柱１に固定した保持金具１７に、ピン１８を介して回動できように連結している。支柱１の下端には、左右に広がる湾曲ロッド１１を固定している。湾曲ロッド１１は、略半円形状に湾曲された金属パイプで、両端が下方に、中間が上方に位置する姿勢として、中間を支柱１の下端に連結して、両端を支柱１の左右に突出させて、全体の形状を逆Ｙ字状としている。さらに、支持ロッド３の下端には、左右に突出して水平ロッド１２を固定している。この湾曲ロッド１１と水平ロッド１２は、支柱１が横に転倒するのを防止する。支柱１は、支持ロッド３と湾曲ロッド１１と水平ロッド１２とで前後左右に転倒しないように自立される。さらに、図に示す上下機構は、湾曲ロッド１１の両端である下端と水平ロッド１２の両端に、ゴム製のキャップ１３を設けている。この上下機構は、支持ロッド３を開いて支柱１を自立させる姿勢において、四隅に設けたキャップ１３により、床面を傷つけないように保護しながら、湾曲ロッド１１と水平ロッド１２が床面に対して滑るのを防止している。さらに、図の支柱１は、上端に取手１０を設けている。図に示す取手１０は、円形の環状のループで、ここをもって上下機構を持ち運びできる。
【００２９】
図の支柱は、以上の構造により、上下に延びる姿勢で自立するようにしている。ただ、上下機構は、支柱を自立姿勢に保持する構造を以上に特定しない。上下機構は、支柱を上下に延びる自立姿勢に保持できる種々の構造で支持することができる。さらに、以上の上下機構は、支柱を後方に向かって上り勾配に傾斜する姿勢で自立するようにしている。ただ、支柱は、垂直姿勢で自立させることもできる。
【００３０】
支柱１は、１本の金属製の角筒、すなわち、角パイプである。この支柱１は、前面にスリット８を設けている。スリット８は、上下台２を上下に移動させるもので、上下方向に延長して前面の中央部に設けている。角筒である支柱１は、上下台２の水平面における回動を阻止して、しっかりと支柱１に連結できる特長がある。ただ、支柱は、円筒または楕円筒とすることもできる。円筒または楕円筒の支柱も、上下台を実用レベルにおいて、水平面内の回転を阻止する構造とすることができる。
【００３１】
スライド台５は、支柱１に設けたスリット８に沿って上下に移動できるように、支柱１に連結している。このスライド台５は、上下台２を水平姿勢とする状態で、ストッパ機構３０を介して支柱１の所定の位置に停止される。
【００３２】
ストッパ機構３０は、図７ないし図９に示すように、スライド台５に連結されて、スリット８の両側で支柱１の内面に接触する内側ストッパ部５ａと、この内側ストッパ部５ａに連結されてスリット８から支柱１の外側に突出している連結部５ｂと、この連結部５ｂに設けている連結穴５ｘに挿通されて、上下台２をスライド台５に傾動できるように連結してなる回転軸４と、上下台２に連結されて、連結部５ｂの両側に位置して、上下台２を水平姿勢とする状態で支柱１の外面を押圧するカム７とを備えている。このストッパ機構３０は、上下台２が折畳姿勢から水平姿勢に回動される状態で、カム７が支柱１の外面を押圧して、カム７と内側ストッパ部５ａとで支柱１を挟着して、スライド台５を支柱１の定位置に固定する。
【００３３】
図のスライド台５は、２枚のＬ金具５Ａを背中合わせに連結して、内側ストッパ部５ａと連結部５ｂとを設けている。２枚のＬ金具５Ａは、支柱１のスリット８を貫通して、支柱１の内部で内側ストッパ部５ａとなり、支柱１の外側に突出する部分を連結部５ｂとしている。この構造のスライド台５は、スリット８を支柱１の上端まで延長することなく、スリット８から支柱１の内部に配置できる。２枚のＬ金具５Ａを別々にスリット８から支柱１の内部に入れた後、連結部５ｂを固定してスライド台５となるからである。スリット８を上端まで延長しない支柱１は、上端で筒状に連結されて強靭な構造にできる。
【００３４】
スライド台５の連結部５ｂは、上下台２に連結している回転軸４を挿通して連結する連結穴５ｘを設けている。連結穴５ｘの内径は、回転軸４の外径よりも大きくしている。連結穴５ｘは、回転軸４を回転できるように挿通して、回転軸４を介して上下台２を傾動できるように連結している。
【００３５】
さらに、図７ないし図９のストッパ機構３０は、スライド台５に、支柱１の外面を押圧する押圧プレート６を、回転軸４を介して連結している。この押圧プレート６は、回転軸４に対して回動できるように連結している。この押圧プレート６も、スライド台５と同じように２枚のＬ金具を背中合わせに連結して、支柱１の外面を押圧する押圧部６ａと連結プレート部６ｂとを設けている。Ｌ金具からなる押圧プレート６は、連結プレート部６ｂをスライド台５の連結部５ｂの外側に積層して、回転軸４でもってスライド台５の連結部５ｂに連結している。連結プレート部６ｂは、回転軸４を挿通する貫通孔６ｘを設けており、この貫通孔６ｘに回転軸４を挿通して、スライド台５に連結している。貫通孔６ｘの内径は回転軸４の外径よりも大きくしている。この押圧プレート６は、押圧部６ａを支柱１の外面に接近し、また離れる方向に移動できる。詳細には、図９に示すように、押圧プレート６が回転軸４を中心として回動することにより、押圧部６ａが部分的に支柱１の外面に接近して接触し、また、支柱１の外面と接触しない位置に移動する。このため、上下台２を停止する状態では、押圧部６ａを支柱１の外面に密着し、上下台２を上下に移動させる状態では押圧部６ａを支柱１の外面から離れるように移動できる。ただ、押圧プレート６は、図８の鎖線で示すように、回転軸４を挿通する貫通孔６ｘを、支柱１に接近し、また離れる方向に長い長孔として、回転軸４に沿って長孔を移動させて、押圧プレート６の押圧部６ａを支柱１の外面に接近し、また離れる方向に移動させることもできる。
【００３６】
押圧プレート６を設けているストッパ機構３０は、上下台２を水平姿勢とする状態で、図６の一部拡大図に示すように、カム７が押圧プレート６を介して支柱１の外面を押圧して、上下台２を所定の高さに固定できる。すなわち、カム７が押圧プレート６を支柱１の外面に押圧して、上下台２を所定の高さに固定する。この構造のストッパ機構３０は、カム７が直接に支柱１の外面を押圧しないので、回転するカム７が支柱１の外面に傷を付けることがなく、カム７の押圧力が押圧プレート６で広い面積で支柱１の外面を押圧して、上下台２を所定の高さに固定できる。ただ、ストッパ機構は、図１０に示すように、カム７が直接に支柱１の外面を押圧して、上下台２を所定の高さに固定することもできる。
【００３７】
上下台２は、水平姿勢とする状態における上面に、座部２０を備えている。この座部２０は、イスとして使用する時に腰を下ろす部分で、たとえば、クッション材の表面をシート材で被覆して座り心地を良くしている。ただ、座部は、必ずしもクッション性を有する必要はなく、木製の板材等も使用できる。さらに、上下台２は、座部２０の下面に支持アーム９を固定している。この支持アーム９は、上下台２の後方において、上下台２を水平姿勢とする状態で上下方向に突出する連結部９Ａを備えている。図の支持アーム９は、上下台２の後方に突出する部分を上方に折曲して連結部９Ａとしている。この連結部９Ａの上端に、回転軸４を連結している。支持アーム９は、金属板を溝型に折曲加工したもので、両側の側壁を上方に延長して、一対の連結部９Ａを設けている。一対の連結部９Ａを貫通して回転軸４を配設して、回転軸４の両端を支持アーム９の連結部９Ａに連結している。すなわち、一対の連結部９Ａの対向する位置に貫通孔９ｘを設けて、この貫通孔９ｘに回転軸４を挿通して連結している。貫通孔９ｘの内径は回転軸４の外径よりも大きくしている。この回転軸４は、両端に軸方向に雌ネジ孔４Ａを設けており、この雌ネジ孔４Ａに止ネジ１４をねじ込んで、回転軸４が連結部９Ａから抜けないように連結している。
【００３８】
さらに、上下台２は、スライド台５の連結部５ｂの両側に位置して、支柱１の外面を押圧する一対のカム７を配設している。図の上下台２は、回転軸４が挿通される一対の連結部９Ａの内面であって、互いに対向する位置に、一対のカム７を固定している。一対のカム７は、回転軸４を挿通する挿通孔７ｘを設けており、この挿通孔７ｘに回転軸４を挿通して、一対のカム７をスライド台５の両側に連結している。挿通孔７ｘの内径は回転軸４の外径よりも大きくしている。挿通孔７ｘは、回転軸４を回転できるように挿通しており、上下台２を傾動させる状態で、支持アーム９に固定したカム７を、回転軸４を中心として回動できるようにしている。一対のカム７は、上下台２を傾動させる状態で支柱１の外面を押圧する突出部７Ａを外周面から突出して設けている。
【００３９】
回転軸４は、スライド台５の連結部５ｂに設けた連結穴５ｘと、押圧プレート６の連結プレート部６ｂに設けた貫通孔６ｘと、カム７に設けた挿通孔７ｘと、連結部９Ａに設けた貫通孔９ｘに挿通して、スライド台５と押圧プレート６をカム７と連結部９Ａに連結している。この回転軸４は、その中央部にスライド台５の連結部５ｂを連結し、さらに、その両側に積層している押圧プレート６の連結プレート部６ｂを連結し、さらにまた、その両側において、カム７と連結部９Ａを連結している。したがって、回転軸４は、上下台２を傾動できるようにスライド台５に連結している。支持アーム９に固定しているカム７は、上下台２を水平姿勢とする状態で突出部７Ａで支柱１の外面を押圧して、カム７と内側ストッパ部５ａとで支柱１を両面から挟着して、スライド台５を支柱１の定位置に固定する。図７ないし図９のストッパ機構３０は、カム７が押圧プレート６を介して支柱１の外面を押圧するので、カム７で押圧される押圧プレート６と内側ストッパ部５ａとで支柱１を両面から挟着して、スライド台５を支柱１の定位置に固定する。
【００４０】
さらに、図１１のカム７は、上下台２を折畳姿勢とする状態、すなわち支柱１と平行な姿勢に折り畳む状態で、押圧プレート６を押圧して、この位置に固定する。したがって、図のカム７は、上下台２を水平な姿勢とする状態で、押圧プレート６を支柱１の外面に押圧する突出部７ａと、上下台２を折畳姿勢に折り畳む状態で、押圧プレート６を支柱１の外面に押圧する突出部７ｂのふたつの突出部７Ａを設けている。このストッパ機構３０は、上下台２を水平姿勢とする状態では、図６と図９に示すように、カム７の突出部７ａが押圧プレート６を介して支柱１の外面を押圧して、スライド台５を支柱１の定位置に固定する。また、このストッパ機構３０は、上下台２を折畳姿勢とする状態では、図１１に示すように、カム７の突出部７ｂが押圧プレート６を介して支柱１の外面を押圧して、スライド台５を支柱１の定位置に固定する。図のストッパ機構３０は、スライド台５の両側に同じ形状のカム７を設けている。したがって、上下台２が折畳姿勢と水平姿勢にあるとき、両方のカム７の突出部７Ａがスリット８の両側に設けている押圧プレート６の押圧部６ａを支柱１の外面に押圧して、上下台２を所定の位置に固定する。
【００４１】
以上のカム７は、上下台２を水平姿勢と折畳姿勢とする状態で、押圧プレート６を支柱１の外面に押圧するが、上下台２を水平姿勢から折畳姿勢に、また、折畳姿勢から水平姿勢に傾動させる途中にあっては、図１２に示すように、突出部７Ａで押圧プレート６を支柱１の外面に押圧しない。したがって、上下台２を水平姿勢と折畳姿勢の中間とする状態では、押圧プレート６と内側ストッパ部５ａとで支柱１を両面から挟着することなく、支柱１との間に隙間を設けて、スライド台５を支柱１のスリット８に沿ってスムーズに上下に移動できる。
【００４２】
上下台２は、回転軸４を介して、スライド台５に傾動できるように連結している。さらに、上下台２は、水平姿勢に傾動される状態で、支柱１のスリット８に挿入される挿入片１６を備えている。図６、図９、及び図１３の上下台２は、水平姿勢において、支柱１の前面と対向する背面に、支柱１に向かって突出する挿入片１６を設けている。この挿入片１６は、上下台２を水平姿勢とする状態では、支柱１のスリット８に挿入されて、上下台２を水平姿勢から折り畳み方向に傾動させる状態では、支柱１のスリット８から抜き取られるように配設している。図の上下台２は、スライド台５との連結部分である回転軸４から離れた位置であって、上下台２を水平姿勢とする状態で、スライド台５よりも下方に位置して挿入片１６を設けている。図の上下台２は、支持アーム９の連結部９Ａの上端に回転軸４を連結して、連結部９Ａの下端部に挿入片１６を固定している。
【００４３】
挿入片１６は、上下台２を水平姿勢とする状態で、支柱１のスリット８に挿入されて上下台２を定位置に保持する。図１３に示す挿入片１６は、支柱１に向かって突出する板状として、上下台２の背面に固定している。この挿入片１６は、スリット８に挿入される部分の断面であって、支柱１の前面に平行な面における断面形状をスリット８の延長方向に細長い長方形としている。このように、断面形状を長方形とする挿入片１６は、両側の側面をスリット８の内面に、より広い面で嵌合させて、確実に位置決めしながら連結できる。ただ、挿入片は、必ずしも断面形状を長方形とする必要はなく、円形や楕円形状とすることも、多角形状とすることも、部分的に幅広部を備える形状とすることもできる。
【００４４】
さらに、挿入片１６は、図１３と図１４に示すように、この挿入片１６は、スリットに圧入できる形状としている。この挿入片１６は、長方形の短辺である横幅（Ｗ）を、スリット８の内幅（Ｓ）に等しく、あるいは内幅（Ｓ）よりもわずか狭くして、挿入片１６を支柱１のスリット８に圧入されるようにしている。図示しないが、断面形状を、円形、楕円形、多角形、あるいは部分的に幅広部を備える形状とする挿入片は、スリットの幅方向の最大の横幅をスリットの内幅に等しくし、あるいは内幅よりも狭くして、スリットに圧入することができる。このように、スリット８に圧入される挿入片１６は、両側面をスリット８の内側縁に密着する状態で嵌合されて、上下台２の下端部を支柱１に確実に固定できる特徴がある。ただ、挿入片は、必ずしもスリットに圧入する必要はない。それは、スリットに挿入される挿入片で、上下台の下端部を支柱に対して位置決めしながら連結して、上下台の横揺れを防止できるからである。
【００４５】
さらに、図１３と図１４の挿入片１６は、先端に向かって横幅を狭くするテーパー状としている。この挿入片１６は、先端部の横幅（Ｗｓ）を狭く成形している。とくに、図の挿入片１６は、中間部から先端に向かって横幅が次第に狭くなるように成形して、すなわち、先端部を薄く成形して、スリット８に挿入しやすくしている。この挿入片１６は、先端部の両側に、先端に向かって横幅が狭くなる形状のテーパー面１６Ａを設けて先端部の横幅（Ｗｓ）を狭くしている。この形状の挿入片１６は、上下台２を水平姿勢に傾動させてスリット８に挿入する状態で、薄い先端部を速やかにスリット８に案内してスムーズに挿入できる。さらに、挿入片１６をスリット８に深く挿入する状態では、後端部をスリット８の開口縁に嵌合できる。とくに、後端部の横幅（Ｗ）がスリット８の内幅（Ｓ）に等しい挿入片１６をスリット８に圧入して、上下台２を確実に支柱１に固定できる。さらに、図示しないが、断面形状を円形や多角形状とする挿入片は、先端部の形状を、先端に向かって細く成形してなる円錐や円錐台、角錐や角推台の形状とし、あるいは、球面状、砲弾型として、速やかにスリットに案内してスムーズに挿入できる。
【００４６】
以上の上下台２は、水平姿勢に傾動する状態において、挿入片１６が支柱１のスリット８に挿入されて定位置に保持される。水平姿勢にある上下台２は、連結部９Ａの上端が、ストッパ機構３０で所定の位置に停止されるスライド台５を介して、位置決めしながら支柱１に連結されると共に、連結部９Ａの下端部が、挿入片１６とスリット８とを介して位置決めしながら支柱１に連結される。したがって、水平姿勢にある上下台２は、スライド台５と挿入片１６とを介して、上下の２点で位置決めしながら支柱１に連結されることによって、上下台２の両側部が上下に揺れ動くのが極減されて横揺れが防止される。さらに、上下台２を水平姿勢から折畳方向に傾動させることで、挿入片１６をスリット８から引き出すと共に、カム７の突出部７Ａで支柱１の外面を押圧する状態を解除して、カム７と内側ストッパ部５ａとで支柱１を両面から挟着するストッパ機構３０の停止状態を解除して、上下台２を、簡単かつ容易に、しかも迅速に上下に移動させて、最適な高さに確実に停止できる。
【００４７】
以上の上下機構は、ストッパ機構３０がカム７を備えており、カム７で支柱１の表面を押圧して、カム７と内側ストッパ部５ａとで支柱１を挟着してスライド台５を固定するので、上下台２を最適な高さとして水平姿勢に傾動する状態において、スライド台５を支柱１に確実に固定できる。このように、スライド台５を支柱１に固定できるストッパ機構３０は、上下台２に荷重が作用しない状態においても、上下台２が滑り落ちるのを確実に阻止しながら、上下台２を安定して所定の位置に保持できる特長がある。さらに、スライド台５を支柱１に固定できる上下機構は、水平姿勢にある上下台２の横揺れをより確実に防止できる特徴もある。ただ、本発明の上下機構は、ストッパ機構を、カムで支柱の表面を押圧して上下台を固定する構造には特定しない。
【００４８】
図１５と図１６に示すストッパ機構３０は、スライド台５に連結されて、スリット８の両側で支柱１の内面に接触する内側ストッパ部５ａと、上下台２に連結されて、支柱１の前面に当接する外側ストッパ１５とを備えている。この上下機構は、上下台２にカムを設けることなく、回転軸４を介して上下台２をスライド台５に連結すると共に、上下台２の下端部には、支柱１のスリット８に挿入される挿入片１６と、外側ストッパ１５とを設けている。図の上下台２は、座部２０を支持する支持アーム９の連結部９Ａの上端に回転軸４を連結すると共に、下端部の背面に挿入片１６と外側ストッパ１５とを固定して設けている。外側ストッパ１５は、上下台２を水平姿勢とする状態で、内側ストッパ部５ａよりも下方に配置している。
【００４９】
図の上下台２は、水平姿勢において支柱１の前面と対向する背面の下端部に、難スリップ材であるゴム板１９を固定して外側ストッパ１５としている。図１６に示す上下台２は、挿入片１６の両側に位置してゴム板１９を設けている。この上下台２は、水平姿勢に傾動させて挿入片１６を支柱１のスリット８に挿入する状態で、挿入片１６の両側のゴム板１９を、支柱１の前面であってスリット８の両側に当接させる。ゴム板１９は、支柱１の表面に押圧される状態で、上下台２が降下するのを確実に阻止すると共に、支柱１の表面に傷がつくのを防止できる特長もある。ゴム板１９は、永久磁石のゴム板を使用することができる。このゴム板１９は、鉄製の支柱１に吸着されて、上下台２と支柱１の表面との滑りを防止できる。回転軸４を中心として回動する上下台２は、背面に固定されるゴム板１９を支柱１に当接させる位置で停止されて傾動が阻止される。この状態において、上下台２は、図１５に示すように、水平姿勢で停止される。ゴム板１９である外側ストッパ１５は、図１５に示すように、支柱１に当接する状態で、支柱１の表面に沿って面接触するように配設される。この上下台２は、水平姿勢において、ゴム板１９を支柱１の表面に広い面積で面接触させる。
【００５０】
このストッパ機構３０は、上下台２を水平姿勢に傾動させて、上下台２に荷重がかかる状態では、上下台２に矢印Ａで示す方向に回転モーメントが作用する。この回転モーメントは、外側ストッパ１５を支柱１の前面に押し付けると共に、回転軸４を介して上下台２に連結されるスライド台５の内側ストッパ部５ａを支柱１の内面に押圧する。この状態において、ストッパ機構３０は、内側ストッパ部５ａが支柱１の内面を押圧すると共に、外側ストッパ１５が支柱１の前面を押圧して、上下台２を降下しないように所定の高さで停止する。さらに、このストッパ機構３０は、上下台２を水平姿勢から折り畳み方向に傾動させると、外側ストッパ１５が支柱１の前面を押圧しなくなり、上下台２を支柱１に沿って上下に移動できる。
【００５１】
この上下機構は、上下台２を水平姿勢に傾動する状態では、連結部９Ａの上端がスライド台５とスリット８とを介して、位置決めしながら支柱１に連結されて、連結部９Ａの下端部が挿入片１６とスリット８とを介して位置決めしながら支柱１に連結される。したがって、水平姿勢にある上下台２は、スリット８で位置決めされるスライド台５と挿入片１６とを介して、上下の２点で位置決めしながら支柱１に連結されることによって、上下台２の両側部が上下に揺れ動くのが極減されて横揺れが防止される。さらに、上下台２を水平姿勢から折畳方向に傾動させることで、挿入片１６をスリット８から引き出すと共に、外側ストッパ１５を支柱１の表面から離してストッパ機構３０の停止状態を解除して、上下台２を、簡単かつ容易に、しかも迅速に上下に移動させて、最適な高さに確実に停止できる。
【００５２】
さらに、図１７ないし図１９に示す上下機構のストッパ機構３０は、外側ストッパ１５を、上下台ではなくスライド台５に連結している。外側ストッパ１５は、内側ストッパ部５ａよりも下方に位置してスライド台５に連結している。図に示すスライド台５は、スリット８から支柱１の外側に突出している連結部５ｂを下方に延長して突出部５ｃを設けており、この突出部５ｃに外側ストッパ１５を連結している。図のスライド台５は、突出部５ｃの背面側に、支柱１の前面と対向する押圧プレート３１を固定しており、この押圧プレート３１の表面に、難スリップ材であるゴム板１９を固定して外側ストッパ１５としている。ゴム板１９である外側ストッパ１５は、図１８に示すように、支柱１に当接する状態で、支柱１の表面に面接触するように配置される。この外側ストッパ１５は、上下台２を水平姿勢に傾動させて、上下台２に荷重がかかる状態で、上下台２の支持アーム９に押圧されて、支柱１の前面に押し付けられる。この外側ストッパ１５は、支柱１の表面に押圧される状態で、スライド台５が降下するのを確実に阻止すると共に、支柱１の表面に傷がつくのを防止する。このゴム板１９には、前述のゴム板と同じものが使用できる。図のストッパ機構３０は、外側ストッパ１５をスライド台５に固定しているが、外側ストッパは、回動できるようにスライド台に連結することもできる。
【００５３】
さらに、ストッパ機構３０は、図１９に示すように、内側ストッパ部５ａと外側ストッパ１５の間隔（ｄ）を、スライド台５を支柱１に沿って上下に移動できるように、支柱１の肉厚（ｔ）よりも大きくしている。このストッパ機構３０は、図１８に示すように、水平姿勢にある上下台２に荷重がかかる状態では、上下台２の支持アーム９に押圧される外側ストッパ１５が支柱１の前面に押し付けられると共に、その反作用で、上下台２の上端に連結されるスライド台５の内側ストッパ部５ａが支柱１の内面を押圧して、スライド台５を降下しないように所定の高さで停止させる。この状態において、上下台２は、水平姿勢に保持される。したがって、上下台２は、支持アーム９の連結部９Ａが外側ストッパ１５を支柱１に押圧する状態で、座部２０が水平姿勢となるように配置している。さらに、このストッパ機構３０は、図１９に示すように、上下台２を水平姿勢から折り畳み方向に傾動させると、外側ストッパ１５が支柱１の前面を押圧しなくなり、スライド台５を支柱１に沿って上下に移動できる。
【００５４】
さらに、図の上下台２は、座部２０の下面を支持する支持アーム９の後端に、上下に突出する連結部９Ａを設けており、この連結部９Ａの上端を回転軸４を介してスライド台５に連結すると共に、連結部９Ａの下端に、支柱１に向かって突出する挿入片１６を固定している。この挿入片１６は、上下台２を水平姿勢に傾動させる状態で、支柱１のスリット８に挿入できるように、外側ストッパ１５の下方に配置している。さらに、図１７の上下台２は、支持アーム９の連結部９Ａを、スライド台５の連結部５ｂの両側に積層してなる２枚のプレートで構成している。２枚のプレートは、その間にスリット９ａを設ける状態で連結している。この上下機構は、上下台２を水平姿勢とする状態で、連結部９Ａに形成されるスリット９ａにスライド台５の連結部５ｂと突出部５ｃを案内して、水平姿勢の上下台２をスライド台５に対して横揺れしないように位置決めしている。
【００５５】
以上の上下台２は、図１８に示すように、水平姿勢に傾動する状態において、ストッパ機構３０でもってスライド台５が所定の高さに停止されると共に、連結部９Ａの下端に設けた挿入片１６が支柱１のスリット８に挿入されて定位置に保持される。水平姿勢にある上下台２は、連結部９Ａの上端が、所定の位置に停止されるスライド台５を介して、位置決めしながら支柱１に連結されると共に、連結部９Ａの下端部が、挿入片１６とスリット８とを介して位置決めしながら支柱１に連結される。したがって、水平姿勢にある上下台２は、スライド台５と挿入片１６とを介して、上下の２点で位置決めしながら支柱１に連結されることによって、上下台２の両側部が上下に揺れ動くのが極減されて横揺れが防止される。さらに、上下台２を水平姿勢から折り畳み方向に傾動させることで、挿入片１６をスリット８から引き出すと共に、外側ストッパ１５が支柱１の前面を押圧する押圧状態を解除して、スライド台５を支柱１に沿って上下に移動させて上下台２を最適な高さに移動できる。
【００５６】
さらに、図２０ないし図２２に示す上下機構のストッパ機構３０は、外側ストッパ１５を、垂直面内で回動できるようにアーム３２を介してスライド台５に連結している。このアーム３２は、スライド台５の突出部５ｃの両側に位置して、回動ピン３３を介して回動自在にスライド台５に連結している。アーム３２は、支柱１の前面と対向する押圧プレート３１を固定しており、この押圧プレート３１の表面に、難スリップ材であるゴム板１９を固定して外側ストッパ１５としている。この外側ストッパ１５は、上下台２を水平姿勢に傾動させて、上下台２に荷重がかかる状態で、上下台２の支持アーム９に押圧されて、支柱１の前面に押し付けられる。回動できる外側ストッパ１５は、ゴム板１９を支柱１の表面に沿わせて面接触できる。ゴム板１９を面接触させる状態で、外側ストッパ１５の回動は阻止される。したがって、外側ストッパ１５は回動できるが、自由に回動できるわけではなく、支持アーム９に押圧されて、ゴム板１９を支柱１に当接させる位置で停止される。ゴム板１９である外側ストッパ１５は、図２１に示すように、支柱１の表面に押圧される状態で、スライド台５が降下するのを確実に阻止すると共に、支柱１の表面に傷がつくのを防止する。このゴム板１９にも、前述のゴム板と同じものが使用できる。
【００５７】
図の上下台２は、座部２０の下面を支持する支持アーム９の後端部を上方に折曲して連結部９Ａを設けている。上下台２は、この連結部９Ａの上端を回転軸４を介してスライド台５に連結すると共に、水平姿勢においては、連結部９Ａの下端部でアーム３２を押圧して、外側ストッパ１５を支柱１の前面に押圧するようにしている。したがって、上下台２は、支持アーム９の連結部９Ａが外側ストッパ１５を支柱１に押圧する状態で、座部２０が水平姿勢となるように支持アーム９の後端部を折曲している。図のアーム３２は、支持アーム９の連結部９Ａに押圧される部分を傾斜面３２Ａとしており、傾動する連結部９Ａの下端部でこの傾斜面３２Ａを押圧することにより、水平姿勢に傾動される上下台２に連動して、外側ストッパ１５が支柱１の前面を押圧するようにしている。ただ、支持アームは、アームを介することなく、直接に外側ストッパを押圧することもできる。さらに、図の上下台２は、支持アーム９の連結部９Ａを、スライド台５の連結部５ｂの両側に積層してなる２枚のプレートで構成し、２枚のプレートの間にスリット９ａを設ける状態で連結している。この上下機構は、上下台２を水平姿勢とする状態で、連結部９Ａに形成されるスリット９ａにスライド台５の連結部５ｂと突出部５ｃを案内して、水平姿勢の上下台２をスライド台５に対して横揺れしないように位置決めしている。
【００５８】
さらに、図のストッパ機構３０は、スライド台５に挿入片１６を連結している。図のスライド台５は、アーム３１を介して連結される外側ストッパ１５に挿入片１６を設けている。図の外側ストッパ１５は、押圧プレート３１の中央部において、支柱１に向かって突出する挿入片１６を固定しており、この挿入片１６の両側にゴム板１９を配置している。この挿入片１６は、上下台２を水平姿勢に傾動させて外側ストッパ１５を支柱１の前面に押圧する状態で、支柱１のスリット８に挿入できるように、外側ストッパ１５に固定している。図のスライド台は、回動できるアームを介して挿入片を連結しているが、挿入片は、スライド台に、直接に連結することもできる。
【００５９】
以上のストッパ機構は、図２０に示すように、上下台２を水平姿勢に傾動する状態において、スライド台５の上部が、連結部５ｂとスリット８を介して位置決めしながら支柱１に連結されると共に、スライド台５の下部が、挿入片１６とスリット８とを介して位置決めしながら支柱１に連結される。スライド台５は、スリット８で位置決めされる連結部５ｂと挿入片１６とを介して、上下の２点で位置決めしながら支柱１に連結されて、支柱１に対する横揺れが防止される。したがって、水平姿勢にある上下台２は、スライド台５の横揺れが防止されることによって、横揺れが防止される。
【００６０】
さらに、図の上下機構は、上下台２が水平姿勢から折り畳み方向に傾動される状態で、外側ストッパ１５が支柱１の前面を押圧する押圧状態が解除されると共に、挿入片１６がスリット８から引き出されて、スライド台５を支柱１に沿って上下に移動させて上下台２を最適な高さに移動できる。アーム３２を介してスライド台５に連結している外側ストッパ１５は、支持アーム９による押圧状態が解除されると、支柱１の前面から離れる方向にアーム３２が回動されて、挿入片１６がスリット８から引き出されると共に、外側ストッパ１５の押圧状態が解除される。このアーム３２は、たとえば、手で操作して、あるいは、折り畳み方向に傾動される上下台に連動して、外側ストッパ１５が支柱１の前面から離れる方向に回動される。上下台に連動してアームを回動させる構造は、図示しないが、アームを弾性体でもって支柱の前面から離れる方向に付勢し、あるいは、アームをリンク等を介して支持アームに連結することで実現できる。
【００６１】
さらに、本発明の他の実施例として、天板を有する上下台を上下に移動できるテーブルとして使用する上下機構を図２３と図２４に、天板を有する上下台を上下に移動できる陳列棚として使用する上下機構を図２５と図２６に示している。これらの図に示す上下機構は、上下に延びる支柱１を垂直姿勢で自立させると共に、天板４０を有する上下台２を回転軸４を介してスライド台５に連結しており、このスライド台５をスリット８に沿って上下に移動できるように支柱１に連結している。このスライド台５は、上下台２を水平姿勢とする状態で、ストッパ機構３０を介して支柱１の所定の位置に停止される。このストッパ機構３０には、前述の図７ないし図９に示すストッパ機構としている。したがって、ストッパ機構の詳細な説明は省略する。
【００６２】
図２３と図２４に示す上下機構は、支柱１の下端を支持脚４１で支持して、支柱１を垂直姿勢で自立するようにしている。図の支持脚４１は、支柱１の下端に連結された水平ロッド４２と、この水平ロッド４２の両端に連結している支持ロッド４３とを備えている。支持ロッド４３は、水平な姿勢であって、水平ロッド４２に対して垂直に固定している。このように水平ロッド４２と支持ロッド４３とからなる支持脚４１は、支柱１が横に転倒するのを防止する。さらに、図の支持脚４１は、支持ロッド４３の両端に、ゴム製のキャップ４４を設けている。この上下機構は、支持脚４１の四隅に設けたキャップ４４により、床面を傷つけないように保護しながら、支持脚４１が床面に対して滑るのを防止している。
【００６３】
上下台２は、水平姿勢とする状態における上面に、天板４０を備えている。図に示す上下台２は、天板４０をガラス板としている。ただ、天板は、必ずしもガラス板とする必要はなく、木製の板材等も使用できる。さらに、上下台２は、天板４０の外周に沿って天板４０を支持する支持枠４９を備えている。この支持枠４９は、天板４０の外周面に沿う周壁４９ａと、天板４０の外周縁部の下面を支持する支持部４９ｂとを備えている。この支持枠４９は、周壁４９ａと支持部４９ｂを連結して、断面形状をＬ字状としている。さらに、支持枠４９は、その後方において、上下台２を水平姿勢とする状態で上下方向に突出する連結部４９Ａを備えている。図の支持枠４９は、支持枠４９の背面に、上下に突出する連結部４９Ａを固定しており、この連結部４９Ａの上端を、回転軸４を介して、スライド台５に傾動できるように連結している。さらに、支持枠４９は、連結部４９Ａの背面であって水平姿勢において、支柱１の前面と対向する背面に、支柱１に向かって突出する挿入片１６を設けている。
【００６４】
図２５と図２６は、棚、陳列棚、本立てなどの棚板４６を上下に移動する上下機構に利用する具体例を示している。この上下機構は、２本の支柱１を互いに平行に連結して、垂直姿勢で自立させている。２本の支柱１は、上下を連結ロッド４５で連結すると共に、下端の両側に支持脚４３を固定している。支柱１は支持脚４３で垂直姿勢で自立する。両側の支柱１に固定している支持脚４３は、互いに平行であって、水平な方向に伸びるロッドで、支柱１の下端に固定している。
【００６５】
各々の支柱には上下台を連結している。上下台を支柱に沿って上下に移動させて、所定の高さで固定する上下機構は、前述した図６ないし図１６に示すイスの上下機構と同じ機構としている。上下台２は、支持アーム９の上に棚板４６を固定している。左右の支柱１に連結している上下台２は、支柱１に沿って上下に移動されて所定の高さに停止される。ことき、棚板４６を外して上下台２の支持アーム９を上下に移動して所定の高さに固定し、この状態で支持アーム９の上に棚板４６を載せる。左右の支柱１に連結している上下台２は、同じ高さとなる位置で支柱１に固定される。この上下台２に、棚板４６を載せて棚、陳列棚、本立てなどに使用される。左右の支柱１に連結している上下台２は、棚板４６を水平とするように支柱１に固定されるが、上下台２を異なる高さで固定して、棚板４６を傾斜する姿勢で支柱に連結することもできる。
【図面の簡単な説明】
【００６６】
【図１】本発明者が先に開発したイスの斜視図である。
【図２】図１に示すイスの連結具を示す水平断面図である。
【図３】図１に示すイスの連結具を示す垂直断面図である。
【図４】本発明の一実施例にかかる上下機構の斜視図である。
【図５】図４に示す上下機構の背面斜視図である。
【図６】図４に示す上下機構の一部拡大側面図である。
【図７】図４に示す上下機構のストッパ機構を示す拡大断面図であって、支柱とスライド台と上下台の連結構造を示す図である。
【図８】図４に示す上下機構のストッパ機構を示す分解斜視図である。
【図９】上下台を水平姿勢とする状態で、ストッパ機構がスライド台を停止する状態を示す拡大断面図である。
【図１０】ストッパ機構の他の一例を示す拡大断面図である。
【図１１】図６に示す上下機構の上下台を折畳姿勢とする状態を示す一部拡大側面図である
【図１２】上下台を水平姿勢と折畳姿勢の中間とする状態を示す拡大断面図である。
【図１３】支柱と上下台の連結構造を示す底面斜視図である。
【図１４】図１２に示す支柱と上下台のＡ−Ａ線断面図である。
【図１５】ストッパ機構の他の一例を示す拡大断面図である。
【図１６】図１５に示すストッパ機構を備える上下機構の支柱と上下台の連結構造を示す底面斜視図である。
【図１７】ストッパ機構の他の一例を示す斜視図である。
【図１８】図１７に示すストッパ機構を備える上下機構の上下台を水平姿勢とする状態を示す拡大断面図である。
【図１９】図１８に示す上下機構の上下台を折り畳み方向に傾動させる状態を示す拡大断面図である。
【図２０】ストッパ機構の他の一例を示す斜視図である。
【図２１】図２０に示すストッパ機構を備える上下機構の上下台を水平姿勢とする状態を示す拡大断面図である。
【図２２】図２１に示す上下機構の上下台を折り畳み方向に傾動させる状態を示す拡大断面図である。
【図２３】本発明の他の実施例にかかる上下機構の斜視図である。
【図２４】図２３に示す上下機構の上下台を水平姿勢とする状態を示す拡大断面図である。
【図２５】本発明の他の実施例にかかる上下機構の斜視図である。
【図２６】図２５に示す上下機構の上下台を水平姿勢とする状態を示す拡大断面図である。
【符号の説明】
【００６７】
１…支柱
２…上下台
３…支持脚
４…回転軸                  ４Ａ…雌ネジ孔
５…スライド台              ５Ａ…Ｌ金具
５ａ…内側ストッパ部
５ｂ…連結部
５ｃ…突出部
５ｘ…連結穴
６…押圧プレート            ６ａ…押圧部
６ｂ…連結プレート部
６ｘ…貫通孔
７…カム                    ７Ａ…突出部
７ａ…突出部
７ｂ…突出部
７ｘ…挿通孔
８…スリット
９…支持アーム              ９Ａ…連結部
９ａ…スリット
９ｘ…貫通孔
１０…取手
１１…湾曲ロッド
１２…水平ロッド
１３…キャップ
１４…止ネジ
１５…外側ストッパ
１６…挿入片                １６Ａ…テーパー面
１７…保持金具
１８…ピン
１９…ゴム板
２０…座部
３０…ストッパ機構
３１…押圧プレート
３２…アーム                ３２Ａ…傾斜面
３３…回動ピン
４０…天板
４１…支持脚
４２…水平ロッド
４３…支持脚
４４…キャップ
４５…連結ロッド
４６…棚板
４９…支持枠                ４９Ａ…連結部
４９ａ…周壁
４９ｂ…支持部
９１…支柱
９２…座台
９４…連結具
９５…スライド台
９６…内側ストッパ
９７…外側ストッパ
９８…スリット
【図１】
2010142521.tif 000003
【図２】
2010142521.tif 000004
【図３】
2010142521.tif 000005
【図４】
2010142521.tif 000006
【図５】
2010142521.tif 000007
【図６】
2010142521.tif 000008
【図７】
2010142521.tif 000009
【図８】
2010142521.tif 000010
【図９】
2010142521.tif 000011
【図１０】
2010142521.tif 000012
【図１１】
2010142521.tif 000013
【図１２】
2010142521.tif 000014
【図１３】
2010142521.tif 000015
【図１４】
2010142521.tif 000016
【図１５】
2010142521.tif 000017
【図１６】
2010142521.tif 000018
【図１７】
2010142521.tif 000019
【図１８】
2010142521.tif 000020
【図１９】
2010142521.tif 000021
【図２０】
2010142521.tif 000022
【図２１】
2010142521.tif 000023
【図２２】
2010142521.tif 000024
【図２３】
2010142521.tif 000025
【図２４】
2010142521.tif 000026
【図２５】
2010142521.tif 000027
【図２６】
2010142521.tif 000028